(57)【要約】【課題】マナーモードの開始条件とマナーモードの解除条件とが異なる種類の情報である場合にも、マナーモードへの自動設定条件を適切に設定可能な携帯電話端末およびそのマナーモード制御方法を提供する。【解決手段】マナーモード開始時刻設定装置１３１はマナーモード設定を開始する時刻を示す情報を記録し、位置情報設定装置１３３はマナーモード設定を開始する位置を示す情報を記録し、マナーモード終了時刻設定装置１３２はマナーモード設定を解除する時刻を示す情報を記録し、位置情報解除装置１３４はマナーモード設定を解除する位置を示す情報を記録する。マナーモード設定／解除判定装置１４０は、記録された複数の情報と時刻取得装置１２０が取得する現在時刻と位置情報検索装置１１０が取得する位置情報とに基づきマナーモードの設定および解除を制御する。【選択図】      図１
2004336194.tif 000002
【特許請求の範囲】
【請求項１】
着信音を抑制または禁止するマナーモードを有し、基地局と無線通信可能な携帯電話端末装置であって、
マナーモード設定条件として第１の種類の情報に基づく第１の設定条件を記録可能な第１の設定条件設定部と、該マナーモード設定条件として前記第１の種類の情報とは異なる第２の種類の情報に基づく第２の設定条件を記録可能な第２の設定条件設定部とを有するマナーモード設定条件設定部と、
マナーモード解除条件として前記第１の種類の情報に基づく第１の解除条件を記録可能な第１の解除条件設定部と、該マナーモード解除条件として前記第２の種類の情報に基づく第２の解除条件を記録可能な第２の解除条件設定部とを有するマナーモード解除条件設定部と、
現在時刻を取得する時刻取得部と、
現在位置を示す位置情報を取得する位置情報取得部と、
前記マナーモード設定条件設定部に記録されたマナーモード設定条件と前記マナーモード解除条件設定部に記録されたマナーモード解除条件と前記時刻取得部が取得する現在時刻と前記位置情報取得部が取得する位置情報とに基づき前記マナーモードの設定および解除を制御する制御部とを含むことを特徴とする携帯電話端末装置。
【請求項２】
請求項１に記載の携帯電話端末装置において、
前記第１の設定条件設定部に記録された第１の設定条件と前記第２の設定条件設定部に記録された第２の設定条件と前記第１の解除条件設定部に記録された第１の解除条件と前記第２の解除条件設定部に記録された第２の解除条件との中でマナーモードの設定または解除に用いる条件の組合せを示す組合せ情報を記録する組合せ設定部をさらに含み、
前記制御部は、前記組合せ設定部に記録された組合せ情報と前記マナーモード設定条件設定部に記録されたマナーモード設定条件と前記マナーモード解除条件設定部に記録されたマナーモード解除条件と前記時刻取得部が取得する現在時刻と前記位置情報取得部が取得する位置情報とに基づき前記マナーモードの設定および解除を制御することを特徴とする携帯電話端末装置。
【請求項３】
請求項１または２に記載の携帯電話端末装置において、前記第１の設定条件設定部は、前記第１の設定条件としてマナーモード開始時刻を示す開始時刻情報を記録可能であり、前記第２の設定条件設定部は、前記第２の設定条件としてマナーモード開始場所を示す開始場所情報を記録可能であり、前記第１の解除条件設定部は、前記第１の解除条件としてマナーモード終了時刻を示す終了時刻情報を記録可能であり、前記第２の解除条件設定部は、前記第２の解除条件としてマナーモード終了場所を示す終了場所情報を記録可能であることを特徴とする携帯電話端末装置。
【請求項４】
請求項１ないし３のいずれかに記載の携帯電話端末装置において、前記位置情報取得部は、前記基地局の設置情報に基づき前記位置情報を取得することを特徴とする携帯電話端末装置。
【請求項５】
着信音を抑制または禁止するマナーモードを有し、基地局と無線通信可能な携帯電話端末装置のマナーモード制御方法であって、
第１の種類の情報に基づく第１のマナーモード設定条件と、前記第１の種類と異なる第２の種類の情報に基づく第２のマナーモード設定条件と、前記第１の種類の情報に基づく第１のマナーモード解除条件と、前記第２の種類の情報に基づく第２のマナーモード解除条件との中から、所望の条件を１つまたは複数記録する第１のステップと、
現在時刻を示す現在時刻情報を取得する第２のステップと、
現在位置を示す位置情報を取得する第３のステップと、
前記第１のステップで記録した所望の条件と、前記第２のステップで取得した現在時刻情報と、前記第３のステップで取得した位置情報とに基づき、前記マナーモードの設定および解除を制御する第４のステップとを含むことを特徴とする携帯電話端末装置のマナーモード制御方法。
【請求項６】
請求項５に記載の携帯電話端末装置のマナーモード制御方法において、
前記第１のステップで記録した所望の条件の中で、マナーモードの設定または解除に用いる条件の組合せを示す組合せ情報を記録する第５のステップをさらに含み、
前記第４のステップは、前記第５のステップで記録した組合せ情報と、前記第１のステップで記録した所望の条件と、前記第２のステップで取得した現在時刻情報と、前記第３のステップで取得した位置情報とに基づき、前記マナーモードの設定および解除を制御する
ことを特徴とする携帯電話端末装置のマナーモード制御方法。
【請求項７】
請求項５または６に記載の携帯電話端末装置のマナーモード制御方法において、前記第１の設定条件は、マナーモード開始時刻を示す開始時刻情報であり、前記第２の設定条件は、マナーモード開始場所を示す開始場所情報であり、前記第１の解除条件は、マナーモード終了時刻を示す終了時刻情報であり、前記第２の解除条件は、マナーモード終了場所を示す終了場所情報であることを特徴とする携帯電話端末装置のマナーモード制御方法。
【請求項８】
請求項５ないし７のいずれかに記載の携帯電話端末装置のマナーモード制御方法において、前記第３のステップは、前記基地局の設置情報に基づき前記位置情報を取得することを特徴とする携帯電話端末装置のマナーモード制御方法。
【発明の詳細な説明】
【０００１】
【発明の属する技術分野】
本発明は、携帯電話端末装置およびそのマナーモード制御方法に関し、特には、着信時の動作モードをマナーモードに自動的に切り替えることが可能な携帯電話端末装置およびそのマナーモード制御方法に関する。
【０００２】
【従来の技術】
携帯電話端末装置は、電車やバス等の公共の場所や会社内または学校内で利用する際に、着信音を内蔵バイブレータの駆動等の無鳴動にするなどして携帯電話端末装置の使用が周囲の迷惑にならないようにするマナーモードの設定をユーザの手動操作によって行えるようになっている。
【０００３】
しかしながら、ユーザの手動操作によってマナーモードの設定を行う場合、以下のような問題があった。
【０００４】
ユーザは、マナーモードが必要な状況になるたびに手動操作でマナーモードを設定しなければならない。また、マナーモード設定が必要なときにマナーモード設定を忘れると周囲に迷惑をかけてしまう。また、マナーモード設定の解除を忘れると、ユーザが着信に気付かない場合が生じてしまう。
【０００５】
ユーザの手動操作によってマナーモードの設定を行うのではなく、マナーモードを自動的に設定する携帯電話端末装置が、特許文献１（特開２００３−３２７４６号公報）と特許文献２（特開２０００−１８８７８１号公報）および特許文献３（特開２０００−２７００４９号公報）に記載されている。
【０００６】
特許文献１には、自動改札機等に設置された無線送信装置が送信する所定信号の受信に伴いマナーモードを自動的に設定する携帯型端末情報装置が記載されている。しかしながら、この場合、マナーモードへの自動設定条件をユーザが自由に設定できない。
【０００７】
特許文献２には、マナーモード設定用の基地局ＩＤとマナーモード解除用の基地局ＩＤとを携帯電話端末に記憶させ、基地局から通知された基地局ＩＤと記憶したこれら基地局ＩＤとを比較し、その結果に基づき、マナーモードを自動的に設定および解除を行う携帯電話端末が記載されている。
【０００８】
特許文献２に記載の携帯電話端末の場合、マナーモードを自動的に設定させるための条件が基地局ＩＤのみなので、ユーザが自由に設定可能なマナーモード自動設定条件は、場所に起因する条件のみとなる。
【０００９】
特許文献３には、バイブレータ設定開始時刻（マナーモード開始時刻に相当）とバイブレータ設定解除時刻（マナーモード解除時刻に相当）とを記憶し、現在時刻がバイブレータ設定開始時刻とバイブレータ設定解除時刻との間の時刻のとき着信時動作モードをバイブレータ（マナーモードに相当）とする携帯無線電話機が記載されている。
【００１０】
特許文献３に記載の携帯電話端末の場合、マナーモードを自動的に設定させるための条件が時刻情報のみなので、ユーザが自由に設定可能なマナーモードの自動設定条件は、時刻に起因する条件のみとなる。
【００１１】
【特許文献１】
特開２００３−３２７４６号公報
【特許文献２】
特開２０００−１８８７８１号公報
【特許文献３】
特開２０００−２７００４９号公報
【００１２】
【発明が解決しようとする課題】
ユーザの手動操作によってマナーモードの設定を行う場合、ユーザは、マナーモードが必要な状況になるたびに手動操作でマナーモードを設定しなければならない。また、マナーモード設定が必要なときにマナーモード設定を忘れると周囲に迷惑をかけてしまう。また、マナーモード設定の解除を忘れると、ユーザが着信に気付かない場合が生じてしまう。
【００１３】
特許文献１ないし３に記載の携帯電話機は、マナーモードを自動的に設定するので、ユーザの手動操作によってマナーモードを設定する場合に生じる問題を回避することが可能となる。
【００１４】
しかしながら、特許文献１に記載の携帯型情報端末装置によってマナーモードの自動設定を行うには、所定信号を発信させる装置を新規に設置する必要があり、膨大な手間と費用がかかるという問題がある。さらに、マナーモードへの自動設定条件をユーザが自由に設定できないという問題がある。
【００１５】
特許文献２に記載の携帯電話端末の場合、ユーザがマナーモードの自動設定条件を設定できるが、設定可能な条件は場所に起因する条件のみである。また、特許文献３に記載の携帯無線電話機の場合も、ユーザがマナーモードへの自動設定条件を設定できるが、設定可能な条件は時刻に起因する条件のみである。
【００１６】
したがって、特許文献２および３に記載の携帯電話端末の場合、例えば、マナーモードの設定開始を時刻で設定し、マナーモードの設定解除を場所で設定したい場合など、マナーモードの開始条件とマナーモードの解除条件とが異なる種類の情報（例えば、時刻と場所）である場合、マナーモードへの自動設定条件を適切に設定できないという問題が生じてしまう。
【００１７】
本発明の目的は、マナーモードの開始条件とマナーモードの解除条件とが異なる種類の情報である場合にも、マナーモードへの自動設定条件を適切に設定可能な携帯電話端末およびそのマナーモード制御方法を提供することである。
【００１８】
【課題を解決するための手段】
上記目的を達成するために、本発明の携帯電話端末装置は、マナーモード設定条件として第１の種類の情報に基づく第１の設定条件を記録可能な第１の設定条件設定部と該マナーモード設定条件として前記第１の種類の情報とは異なる第２の種類の情報に基づく第２の設定条件を記録可能な第２の設定条件設定部とを有するマナーモード設定条件設定部と、マナーモード解除条件として前記第１の種類の情報に基づく第１の解除条件を記録可能な第１の解除条件設定部と、該マナーモード解除条件として前記第２の種類の情報に基づく第２の解除条件を記録可能な第２の解除条件設定部とを有するマナーモード解除条件設定部と、現在時刻を取得する時刻取得部と、現在位置を示す位置情報を取得する位置情報取得部と、前記マナーモード設定条件設定部に記録されたマナーモード設定条件と前記マナーモード解除条件設定部に記録されたマナーモード解除条件と前記時刻取得部が取得する現在時刻と前記位置情報取得部が取得する位置情報とに基づき前記マナーモードの設定および解除を制御する制御部とを含むことを特徴としている。
【００１９】
上記の発明によれば、マナーモード設定条件設定部とマナーモード解除条件設定部とを含むので、第１の種類の情報に基づく第１のマナーモード設定条件と、第２の種類の情報に基づく第２のマナーモード設定条件と、第１の種類の情報に基づく第１のマナーモード解除条件と、第２の種類の情報に基づく第２のマナーモード解除条件との中から、所望の条件を１つまたは複数記録することが可能になる。
【００２０】
したがって、マナーモードの開始条件とマナーモードの解除条件とが異なる種類の情報である場合にも、マナーモードへの自動設定条件を適切に設定可能となる。
【００２１】
また、本発明の携帯電話端末装置のマナーモード制御方法は、第１の設定条件と第２の設定条件と第１の解除条件と第２の解除条件との中から所望の条件を１つまたは複数記録するので、所望の条件を適宜設定することにより、マナーモードの開始条件とマナーモードの解除条件とが異なる種類の情報である場合にも、マナーモードへの自動設定条件を適切に設定可能となる。
【００２２】
また、本発明の携帯電話端末装置および携帯電話端末装置のマナーモード制御方法は、マナーモードの設定または解除に用いる条件の組合せを示す組合せ情報を記録するので、マナーモードの設定または解除に用いる条件の組合せを適宜変更可能となる。
【００２３】
また、本発明の携帯電話端末装置および携帯電話端末装置のマナーモード制御方法は、第１の設定条件がマナーモード開始時刻を示す開始時刻情報であり、第２の設定条件がマナーモード開始場所を示す開始場所情報であり、第１の解除条件がマナーモード終了時刻を示す終了時刻情報であり、第２の解除条件がマナーモード終了場所を示す終了場所情報であるので、時刻と場所という異なる種類の情報に基づき、マナーモードの設定および解除の条件を設定可能となる。
【００２４】
【発明の実施の形態】
以下、本発明の実施の形態を図面に示す一実施例に基づき説明する。
【００２５】
図１は、本発明の一実施例の携帯電話端末装置を示したブロック回路図である。図１において、携帯電話端末装置１００は、位置情報検索装置１１０と、時刻取得装置１２０と、マナーモード条件設定装置１３０と、マナーモード設定／解除判定装置１４０と、マナーモード設定／解除装置１５０とを含む。
【００２６】
図２は、携帯電話端末装置１００のバードウェア構成例を示したブロック図である。図２において、携帯電話端末装置１００は、情報処理装置１と、表示部２と、入力部３と、バイブレータ４と、報音部５および無線通信部６とを含む。情報処理装置１は、ＣＰＵ１１とメモリ１２と入出力インターフェース１３とを含む。
【００２７】
携帯電話端末装置１００は、報音部５による着信音を抑制または禁止するマナーモードを有し、基地局と無線通信可能である。
【００２８】
なお、本実施例では、マナーモード設定がなされている際に着信があると、バイブレータ４が動作し、報音部５による着信音の報音が禁止または報音部５による着信音の報音の音量が設定された所望の音量より低減する。マナーモード設定がなされていない場合、報音部５による着信音の報音が設定された所望の音量でなされる。
【００２９】
図１において、携帯電話端末装置１００は、第１の種類の情報としての時刻情報と第２の種類の情報としての場所情報とに基づいてマナーモード設定およびマナーモード設定解除を行うことが可能な装置である。携帯電話端末装置１００が時刻情報および位置情報に基づいてマナーモード設定とマナーモード設定解除を自動的に行うことにより、マナーモードの設定漏れまたはマナーモードの解除漏れを防止可能となる。
【００３０】
位置情報取得部としての位置情報検索装置１１０は、携帯電話端末装置１００と基地局との無線通信により、基地局が設置されている位置に関する情報を取得し、この取得した情報に基づき携帯電話端末装置１００の現在位置を認識し、認識した現在位置を示す位置情報をマナーモード設定／解除判定装置１４０に出力する。
【００３１】
時刻取得部としての時刻取得装置１２０は、自身に内蔵する現在時刻計時部１２０ａから現在時刻を取得し、取得した現在時刻をマナーモード設定／解除判定装置１４０に出力する。
【００３２】
マナーモード条件設定装置１３０は、マナーモード設定条件設定部１３０ａとマナーモード解除条件設定部１３０ｂと、条件組合せ設定装置１３５とを含み、マナーモード設定条件およびマナーモード解除条件を設定し、設定した条件をマナーモード設定／解除判定装置１４０に出力する。
【００３３】
マナーモード設定条件設定部１３０ａは、マナーモード開始時刻設定装置１３１と位置情報設定装置１３３とを含む。
【００３４】
第１の設定条件設定部としてのマナーモード開始時刻設定装置１３１は、マナーモード設定条件として、マナーモード設定を開始する時刻を示す開始時刻情報（第１の設定条件）を設定および記録可能である。
【００３５】
第２の設定条件設定部としての位置情報設定装置１３３は、マナーモード設定条件として、マナーモード設定を開始する位置を示す開始場所情報（第２の設定条件）を設定および記録可能である。
【００３６】
マナーモード解除条件設定部１３０ｂは、マナーモード終了時刻設定装置１３２と位置情報解除装置１３４とを含む。
【００３７】
第１の解除条件設定部としてのマナーモード終了時刻設定装置１３２は、マナーモード解除条件として、マナーモード設定を解除する時刻を示す終了時刻情報（第１の解除条件）を設定および記録可能である。
【００３８】
第２の解除条件設定部としての位置情報解除装置１３４は、マナーモード解除条件として、マナーモード設定を解除する位置を示す終了場所情報（第２の解除条件）を設定および記録可能である。
【００３９】
組合せ設定部としての条件組合せ設定装置１３５は、マナーモード開始時刻設定装置１３１と位置情報設定装置１３３とのいずれかまたは双方に記録されたマナーモード設定条件と、マナーモード終了時刻設定装置１３２と位置情報解除装置１３４とのいずれかまたは双方に記録されたマナーモード解除条件との中から、マナーモードの設定または解除に用いる条件の組合せを示す組合せ情報を設定および記録可能である。
【００４０】
なお、図１では、条件組合せ設定装置１３５は、マナーモード条件設定装置１３０に含まれる例を示しているが、条件組合せ設定装置１３５は、これに限るものではない。
【００４１】
制御部としてのマナーモード設定／解除判定装置１４０は、マナーモード条件設定装置１３０に記録されたマナーモード設定条件およびマナーモード解除条件と、時刻取得装置１２０が取得する現在時刻と位置情報検索装置１１０が取得する位置情報とに基づきマナーモードの設定および解除を制御する。
【００４２】
さらに言えば、マナーモード設定／解除判定装置１４０は、マナーモード条件設定装置１３０に記録されたマナーモード設定条件およびマナーモード解除条件および組合せ情報と、時刻取得装置１２０が取得する現在時刻と位置情報検索装置１１０が取得する位置情報とに基づきマナーモードの設定および解除を制御する。
【００４３】
マナーモードの設定および解除の制御例としては、マナーモード設定／解除判定装置１４０は、マナーモードを設定するためのマナーモード設定情報とマナーモードを解除するためのマナーモード解除情報とを択一的にマナーモード設定／解除装置１５０に出力する。
【００４４】
マナーモード設定／解除装置１５０は、マナーモード設定／解除判定装置１４０が出力するマナーモード設定情報とマナーモード解除情報とに基づき、マナーモードの設定および解除を実行する。
【００４５】
図２に移って、情報処理装置１はメモリ１２に記憶された動作プログラムをＣＰＵ１１が実行することにより、図１に示した各装置が有する機能を実行する。
【００４６】
次に、動作の概略を説明する。
【００４７】
マナーモード設定／解除判定装置１４０は、マナーモード開始時刻設定装置１３１とマナーモード終了時刻設定装置１３２と位置情報設定装置１３３と位置情報解除装置１３４とにそれぞれ記録されたマナーモード設定または解除に関する時刻と位置情報と、位置情報検索装置１１０と時刻取得装置１２０とからそれぞれ取得した現在時刻と現在位置とを比較する。
【００４８】
マナーモード設定／解除判定装置１４０は、それらの比較判定結果に基づき、マナーモード設定／解除装置１５０にマナーモード設定またはマナーモード解除を通知して、時刻情報と位置情報によるマナーモードの自動設定および自動解除を行う。
【００４９】
次に、動作を説明する。
【００５０】
本実施例の動作は、マナーモード設定条件処理とマナーモード状態監視処理の２つの処理を含む。
【００５１】
図３は、携帯電話端末装置におけるマナーモード設定条件処理の動作を説明するためのフローチャートである。
【００５２】
以下、図３を参照してマナーモード設定条件処理の動作を説明する。なお、以下の説明は、ユーザが入力部３を操作して入力した種々の情報を情報処理装置１が処理するものである。また、本実施例において、「登録」は「記録」を含むものである。
【００５３】
マナーモード設定条件処理を実行するように入力部３が操作されると、情報処理装置１はマナーモード設定条件処理を開始する。
【００５４】
まず、情報処理装置１は、入力部３からの入力に基づき、時刻によるマナーモード開始設定を行うか否かをチェックし、時刻によるマナーモード開始設定を行う場合は、マナーモード開始時刻設定処理を行うためステップＡ２に進み、時刻によるマナーモード開始設定を行わない場合はステップＡ４に進む（ステップＡ１）。
【００５５】
マナーモード開始時刻設定を行う場合、情報処理装置１は、情報処理装置１内の条件組合せ設定装置１３５に時刻によるマナーモード開始設定を行うことを登録する（ステップＡ２）。次に、情報処理装置１は、マナーモードを開始する時刻を示す開始時刻情報を情報処理装置１内のマナーモード開始時刻設定装置１３１に登録する（ステップＡ３）。
【００５６】
次に、情報処理装置１は、入力部３からの入力に基づき、時刻によるマナーモード終了設定を行うかをチェックし、時刻によるマナーモード終了設定を行う場合は、マナーモード終了時刻設定処理を行うためステップＡ５に進み、時刻によるマナーモード終了設定を行わない場合は、ステップＡ７に進む（ステップＡ４）。
【００５７】
マナーモード終了時刻設定を行う場合、情報処理装置１は、条件組合せ設定装置１３５に時刻によるマナーモード終了設定を行うことを登録する（ステップＡ５）。次に、情報処理装置１は、マナーモードを終了する時刻を示す終了時刻情報を情報処理装置１内のマナーモード終了時刻設定装置１３２に登録する（ステップＡ６）。
【００５８】
次に、情報処理装置１は、入力部３からの入力に基づき、位置情報によるマナーモード開始設定を行うかをチェックし、位置情報によるマナーモード開始設定を行う場合は、マナーモード開始位置設定処理を行うためステップＡ８に進み、位置情報によるマナーモード開始設定を行わない場合は、ステップＡ１０に進む（ステップＡ７）。
【００５９】
位置情報によるマナーモード開始設定を行う場合、情報処理装置１は、条件組合せ設定装置１３５に位置情報によるマナーモード開始設定を行うことを登録する（ステップＡ８）。次に、情報処理装置１は、マナーモードを開始する位置を示す開始場所情報を情報処理装置１内の位置情報設定装置１３３に登録する（ステップＡ９）。
【００６０】
次に、情報処理装置１は、入力部３からの入力に基づき、位置情報によるマナーモード解除（終了）設定を行うかをチェックし、位置情報によるマナーモード解除設定を行う場合は、マナーモード解除（終了）位置設定処理を行うためステップＡ１１に進み、位置情報によるマナーモード解除設定を行わない場合は、ステップＡ１３に進む（ステップＡ１０）。
【００６１】
位置情報によるマナーモード解除を行う場合、情報処理装置１は、条件組合せ設定装置１３５に位置情報によるマナーモード解除設定を行うことを登録する（ステップＡ１１）。次に、情報処理装置１は、マナーモードを解除する位置を示す終了場所情報を情報処理装置１内の位置情報解除装置１３４に登録する（ステップＡ１２）。
【００６２】
次に、情報処理装置１は、条件組合せ設定装置１３５に、時刻または位置情報によるマナーモード設定条件またはマナーモード解除条件が登録されているかチェックする。
【００６３】
マナーモード設定条件またはマナーモード解除条件が登録されている場合、情報処理装置１は、マナーモード状態監視処理を行う処理（ステップＡ１４）に進み、マナーモード設定条件とマナーモード解除条件のいずれもが登録されていない場合はマナーモード設定を終了する処理（ステップＡ１５）へ進む（ステップＡ１３）。
【００６４】
本実施例は、マナーモードを開始する時刻を示す開始時刻情報と、マナーモードを終了する時刻を示す終了時刻情報と、マナーモードを開始する位置を示す開始場所情報と、マナーモードを解除する位置を示す終了場所情報とのそれぞれを独立して設定可能なので、例えば、マナーモードの設定開始を時刻で設定し、マナーモードの設定解除を場所で設定することが可能となる。
【００６５】
したがって、マナーモードの開始条件とマナーモードの解除条件とが異なる種類の情報である場合にも、マナーモードへの自動設定条件を適切に設定可能となる。
【００６６】
図４は、携帯電話端末装置におけるマナーモード状態監視処理の動作を説明するためのフローチャートである。
【００６７】
以下、図４を参照してマナーモード状態監視処理の動作を説明する。なお、以下の説明は、情報処理装置１内に構成されたマナーモード設定／解除判定装置１４０が処理するものである。
【００６８】
まず、マナーモード設定／解除判定装置１４０は、ステップＡ２にて時刻によるマナーモード開始設定が登録されているか判断するため、条件組合せ設定装置１３５を参照し、条件組合せ設定装置１３５に時刻によるマナーモード開始設定が登録されている場合はステップＢ２に進み、条件組合せ設定装置１３５に時刻によるマナーモード開始設定が登録されていない場合はステップＢ５に進む（ステップＢ１）。
【００６９】
条件組合せ設定装置１３５に時刻によるマナーモード開始設定が登録されている場合、マナーモード設定／解除判定装置１４０は、時刻取得装置１２０から現在時刻を取得する（ステップＢ２）。
【００７０】
次に、マナーモード設定／解除判定装置１４０は、マナーモード開始時刻設定装置１３１に設定されたマナーモード開始時刻とステップＢ２で取得した現在時刻を比較する。具体的には、マナーモード設定／解除判定装置１４０は、設定されたマナーモード開始時刻が過去の時刻になっていないかチェックする。
【００７１】
マナーモード設定／解除判定装置１４０は、設定されたマナーモード開始時刻が過去の時刻になっていればステップＢ４に進み、設定されたマナーモード開始時刻が過去の時刻になっていなければマナーモード開始時刻は無効と判断しステップＢ５に進む（ステップＢ３）。
【００７２】
マナーモード設定／解除判定装置１４０は、設定されたマナーモード開始時刻が過去の時刻になっていれば、マナーモード設定／解除装置１５０に対し、マナーモード設定情報を出力してマナーモード設定を行い、マナーモードを開始させる（ステップＢ４）。
【００７３】
次に、マナーモード設定／解除判定装置１４０は、ステップＡ５にて時刻によるマナーモード終了設定が登録されているか判断するため、条件組合せ設定装置１３５を参照し、条件組合せ設定装置１３５に時刻によるマナーモード終了設定が登録されている場合はステップＢ６に進み、条件組合せ設定装置１３５に時刻によるマナーモード終了設定が登録されていない場合はステップＢ９に進む（ステップＢ５）。
【００７４】
条件組合せ設定装置１３５に時刻によるマナーモード終了設定が登録されている場合、マナーモード設定／解除判定装置１４０は、時刻取得装置１２０から現在時刻を取得する（ステップＢ６）。
【００７５】
次に、マナーモード設定／解除判定装置１４０は、マナーモード終了時刻設定装置１３２に設定されたマナーモード終了時刻とステップＢ６で取得した現在時刻を比較する。具体的には、マナーモード設定／解除判定装置１４０は、設定されたマナーモード終了時刻が過去の時刻になっていないかチェックする。
【００７６】
マナーモード設定／解除判定装置１４０は、設定されたマナーモード終了時刻が過去の時刻になっていればステップＢ８に進み、設定されたマナーモード終了時刻が過去の時刻になっていなければマナーモード終了時刻は無効と判断しステップＢ９に進む（ステップＢ７）。
【００７７】
マナーモード設定／解除判定装置１４０は、設定されたマナーモード終了時刻が過去の時刻になっていれば、マナーモード設定／解除装置１５０に対し、マナーモード解除情報を出力してマナーモード終了設定を行い、マナーモードを解除させる（ステップＢ８）。
【００７８】
次に、マナーモード設定／解除判定装置１４０は、ステップＡ８にて位置情報によるマナーモード開始設定が登録されているか判断するため、条件組合せ設定装置１３５を参照し、条件組合せ設定装置１３５に位置情報によるマナーモード開始設定が登録されている場合はステップＢ１０に進み、位置情報によるマナーモード開始設定が登録されていない場合はステップＢ１３に進む（ステップＢ９）。
【００７９】
条件組合せ設定装置１３５に位置情報によるマナーモード開始設定が登録されている場合、マナーモード設定／解除判定装置１４０は、位置情報取得装置１１０から現在位置情報を取得する（ステップＢ１０）。
【００８０】
次に、マナーモード設定／解除判定装置１４０は、マナーモード位置情報設定装置１３３に設定されたマナーモード開始場所情報とステップＢ１０で取得した現在位置情報を比較し、双方の情報が一致していればステップＢ１２に進み、双方の情報が一致していなければ位置情報によるマナーモード開始設定は不要と判断してステップＢ１３に進む（ステップＢ１１）。なお、ステップＢ１２の動作は、ステップＢ４と同様である。
【００８１】
次に、マナーモード設定／解除判定装置１４０は、ステップＡ１１にて位置情報によるマナーモード終了設定が登録されているか判断するため、条件組合せ設定装置１３５を参照し、条件組合せ設定装置１３５に位置情報によるマナーモード終了設定が登録されている場合はステップＢ１４に進み、位置情報によるマナーモード終了設定が登録されていない場合はステップＢ１に進み前記処理を繰り返す（ステップＢ１３）。
【００８２】
条件組合せ設定装置１３５に位置情報によるマナーモード終了設定が登録されている場合、マナーモード設定／解除判定装置１４０は、位置情報取得装置１１０から現在位置情報を取得する（ステップＢ１４）。
【００８３】
次に、マナーモード設定／解除判定装置１４０は、マナーモード位置情報解除装置１３４に設定された終了場所情報とステップＢ１４で取得した現在位置情報を比較し、双方の情報が一致していればステップＢ１６に進み、一致していなければ位置情報によるマナーモード終了設定は不要と判断してステップＢ１に進む（ステップＢ１５）。なお、ステップＢ１６の動作は、ステップＢ８と同様である。
【００８４】
本実施例によれば、時刻と位置情報という異なる種類の情報を基にしてマナーモードの自動設定および自動解除を行うことが可能となる。
【００８５】
また、マナーモードの設定または解除に用いる条件の組合せを示す組合せ情報を条件組合せ設定装置１３５に記録するので、マナーモードの設定または解除に用いる条件の組合せを適宜変更可能となる。
【００８６】
以上説明した実施例において、図示した構成は単なる一例であって、本発明はその構成に限定されるものではない。
【００８７】
例えば、本実施例では、第１の種類の情報として時刻を用い第２の種類の情報として場所を用いたが、第１の種類の情報と第２の種類の情報は、これらに限るものではなく適宜変更可能である。
【００８８】
例えば、第１の情報として時刻を用い第２の情報として周囲雑音を用いてもよい。この場合、周囲雑音を検出する検出部を設け、検出部で検出した周囲雑音と設定した周囲雑音とを比較してマナーモードの自動設定および自動解除を行うようにすればよい。
【００８９】
【発明の効果】
本発明によれば、第１の種類の情報に基づく第１のマナーモード設定条件と、第２の種類の情報に基づく第２のマナーモード設定条件と、第１の種類の情報に基づく第１のマナーモード解除条件と、第２の種類の情報に基づく第２のマナーモード解除条件との中から、所望の条件を１つまたは複数記録することが可能になる。
【００９０】
したがって、マナーモードの開始条件とマナーモードの解除条件とが異なる種類の情報である場合にも、マナーモードへの自動設定条件を適切に設定可能となる。
【００９１】
また、第１の種類の情報を時刻とし、第２の種類の情報を場所とすれば、登録した時刻に基づいてマナーモード設定とマナーモード設定解除とを自動的に実施することに加え、位置情報を加味したマナーモード設定とマナーモード設定解除を行うことができるため、設定時刻に対応しないスケジュールで行動しても、マナーモード設定とマナーモード設定解除を適切に実施することが可能になる。
【図面の簡単な説明】
【図１】本発明の一実施例の携帯電話端末装置を示すブロック図である。
【図２】本発明の一実施例の携帯電話端末装置のバードウェア構成を示すブロック図である。
【図３】本発明の実施例の動作を示すフローチャートである。
【図４】本発明の実施例の動作を示すフローチャートである。
【符号の説明】
１        情報処理装置
１１      ＣＰＵ
１２      メモリ
１３      入出力インターフェース
２        表示部
３        入力部
４        バイブレータ
５        報音部
６        無線通信部
１００    携帯電話端末装置
１１０    位置情報検索装置
１２０    時刻取得装置
１２０ａ  現在時刻計時部
１３０    マナーモード条件設定装置
１３０ａ  マナーモード設定条件設定部
１３０ｂ  マナーモード解除条件設定部
１３１    マナーモード開始時刻設定装置
１３２    マナーモード終了時刻設定装置
１３３    位置情報設定装置
１３４    位置情報解除装置
１３５    条件組合せ設定装置
１４０    マナーモード設定／解除判定装置
１５０    マナーモード設定／解除装置
【図１】
2004336194.tif 000003
【図２】
2004336194.tif 000004
【図３】
2004336194.tif 000005
【図４】
2004336194.tif 000006